(57)【要約】【課題】車両の斜め衝突に対する乗員の保護をより十分に行うことができる乗員保護システムを提供すること。【解決手段】本発明の乗員保護システムは、車両（Ｃ）の前後方向での位置が搭乗席（ＳＦＬ）よりも前方又は側方の位置に設置された第一のセンサ（２１）と、第一のセンサの後方の位置に設置された第二のセンサ（２２）と、搭乗席に設けられた乗員が移動することを規制する移動規制手段（３）と、各センサ（２１，２２）からの検出信号と判定しきい値（１１）とを比較する（１２）ことで衝突の判定を行う衝突判定手段（１）と、を有する乗員保護システムであって、第二のセンサ（２２）の検知信号が判定しきい値を超えていない状態で、第一のセンサ（２１）の検知信号が判定しきい値を超えたとき衝突と判定し、移動規制手段（３）を作動させることを特徴とする。【選択図】図２
2014118035.tif 000002
【特許請求の範囲】
【請求項１】
車両（Ｃ）の一対の側部のうち乗員が搭乗する搭乗席（ＳＦＬ）に近接した一方の側部であって、該車両の前後方向での位置が該搭乗席よりも前方又は側方の位置に設置された、該車両の幅方向の衝突を検知する第一のセンサ（２１）と、
該一方の側部であって、該車両の前後方向での位置が該第一のセンサの後方の位置に設置された、該車両の幅方向の衝突を検知する第二のセンサ（２２）と、
該搭乗席に設けられ、該搭乗席に搭乗した該乗員が該搭乗席から移動することを規制する移動規制手段（３）と、
各該センサからの検出信号と判定しきい値とを比較することで衝突の判定を行う衝突判定手段（１）と、
を有する乗員保護システムであって、
該第二のセンサの検知信号が該判定しきい値を超えていない状態で、該第一のセンサの検知信号が該判定しきい値を超えたとき衝突と判定し、該移動規制手段を作動させることを特徴とする乗員保護システム。
【請求項２】
前記第一のセンサの検知信号が前記判定しきい値を超えていない状態で、前記第二のセンサの検知信号が前記判定しきい値を超えたときには、前記移動規制手段の作動を禁止する請求項１記載の乗員保護システム。
【請求項３】
前記移動規制手段の作動は、予め決定された移動規制手段禁止時間が経過するまで禁止される請求項２記載の乗員保護システム。
【請求項４】
前記車両の幅方向の衝突を検知し、前記第一のセンサの冗長性を確保するためのセーフィングセンサ（１９）をさらに有し、
さらに、該セーフィングセンサからの検知信号が前記判定しきい値を超えたとき、前記移動規制手段を作動させる請求項１〜３のいずれか１項に記載の乗員保護システム。
【請求項５】
前記第一のセンサは、前記車両のドア内に設置され、前記第二のセンサは、該車両のピラーに設置される請求項１〜４のいずれか１項に記載の乗員保護システム。
【請求項６】
車両の一対の側部のうち乗員が搭乗する搭乗席に近接した一方の側部であって、該車両の前後方向での位置が該搭乗席よりも前方又は側方の位置に設置された、該車両の幅方向の衝突を検知する第一のセンサ（２１）と、
該一方の側部であって、該車両の前後方向での位置が該第一のセンサの後方の位置に設置された、該車両の幅方向の衝突を検知する第二のセンサ（２２）と、
該車両の幅方向の衝突を検知し、該第一のセンサの冗長性を確保するためのセーフィングセンサ（４９）と、
該搭乗席に設けられ、該搭乗席に搭乗した該乗員が該搭乗席から移動することを規制する移動規制手段（３）と、
各該センサからの検出信号と判定しきい値とを比較することで衝突の判定を行う衝突判定手段（１）と、
を有する乗員保護システムであって、
該判定手段は、該第一のセンサ，該第二のセンサの衝突の判定状態を保持する判定状態保持手段（４４０）を有し、
該第一のセンサ又は該第二のセンサの検知信号が該判定しきい値を超えたとき、該判定状態保持手段に保持されていた各該センサの該判定状態がいずれも衝突と判定していない状態であり、
かつ該第二のセンサの検知信号が該判定しきい値を超えていない状態で、該第一のセンサの検知信号が該判定しきい値を超えたとき衝突と判定し、さらに該セーフィングセンサの検知信号が該判定しきい値を超えたとき、該移動規制手段を作動させることを特徴とする乗員保護システム。
【請求項７】
前記判定状態保持手段は、前記第一のセンサ又は前記第二のセンサの検知信号が前記判定しきい値を超えてから、予め決定された第一の時間が経過するまで、該検知信号が検知した衝突が継続しているとして該判定状態を保持する請求項６記載の乗員保護システム。
【請求項８】
前記予め決定された時間は、前記第一のセンサ及び前記第二のセンサが衝突が終了したと判定するまで延長される請求項７記載の乗員保護システム。
【請求項９】
前記第一のセンサ又は前記第二のセンサの検知信号が前記判定しきい値を超えたとき、前記判定状態保持手段に保持されていた各該センサの前記判定状態がいずれも衝突と判定していない状態であり、
該第一のセンサの検知信号が該判定しきい値を超えていない状態で、該第二のセンサの検知信号が該判定しきい値を超えたときには、前記移動規制手段の作動を禁止する請求項６〜８のいずれか１項に記載の乗員保護システム。
【請求項１０】
前記移動規制手段の作動は、予め決定された移動規制手段禁止時間が経過するまで禁止される請求項９記載の乗員保護システム。
【請求項１１】
前記移動規制手段禁止時間は、前記第一のセンサ及び前記第二のセンサが斜め衝突が終了したと判定するまでの時間である請求項１０記載の乗員保護システム。
【請求項１２】
前記判定状態保持手段に保持されていた各前記センサの少なくとも一つの前記判定状態が斜め衝突と判定しているときには、
前記第一のセンサ又は前記第二のセンサが検知した衝突の判定を禁止する請求項６〜１１のいずれか１項に記載の乗員保護システム。
【請求項１３】
前記第一のセンサは、前記車両のドア内に設置され、前記第二のセンサは、該車両のピラーに設置される請求項６〜１２のいずれか１項に記載の乗員保護システム。
【発明の詳細な説明】
【技術分野】
【０００１】
本発明は、車両の乗員を保護する乗員保護システムに関し、詳しくは、車両の衝突から乗員を保護する乗員保護システムに関する。
【背景技術】
【０００２】
車両には、衝突時に乗員を保護するための乗員保護システムが取り付けられている。乗員保護システムには、たとえば、衝突時に展開して乗員を保護するエアバッグや、衝突時に乗員が前方に移動する前に乗員を拘束（固定）して保護するプリテンショナがある。
【０００３】
この乗員保護システムは、たとえば、特許文献１に開示されている。従来の乗員保護システムは、衝突を検知するセンサと、センサからの信号に基づいて衝突の判定を行う判定手段と、を備え、センサからの検出信号に基づいて判定手段が衝突の判定を行っている。そして、判定手段が衝突と判定したときには、エアバッグやプリテンショナなどの保護手段を作動させている。
【０００４】
近年は、車両の前後方向及び側方からの衝突だけでなく、斜め前方からの衝突（斜め衝突）に対する乗員保護システムが求められてきている。斜め衝突は、車両の斜め方向（斜め前方から車両に向かう方向）に沿って被衝突物が衝突する。たとえば、車両のフロントドアなどに斜め衝突が生じると、慣性等により被衝突物（衝突部位）に向かって乗員が相対的に移動する。この乗員の移動が生じると、被衝突物（衝突部位）と乗員とのクリアランスが小さくなり、乗員が受ける傷害値が大きくなるおそれがあった。この斜め衝突時には、プリテンショナを作動させて被衝突物と乗員とのクリアランスを確保することで、乗員が受ける傷害値の上昇を抑えることが有効である。
【先行技術文献】
【特許文献】
【０００５】
【特許文献１】特許第４３３１０８０号公報
【発明の概要】
【発明が解決しようとする課題】
【０００６】
しかしながら、従来の乗員保護システムでは、車両の側方からの衝突と同じ条件で斜め衝突時の乗員の保護を行っていた。つまり、斜め衝突が側方からの衝突に含まれていた。この場合、斜め衝突時に乗員の保護、特に乗員の移動による傷害値の増加が十分に抑えられないおそれがあった。
本発明は上記実状に鑑みてなされたものであり、車両の衝突に対する乗員の保護をより確実に行うことができる乗員保護システムを提供することを課題とする。
【課題を解決するための手段】
【０００７】
上記課題を解決するために、本発明者等は衝突時に前方側に位置するセンサが後方側に位置するセンサよりも先に衝突の判定を行うことを見いだし、本発明を完成した。
【０００８】
すなわち、本発明の第一の乗員保護システムは、車両の一対の側部のうち乗員が搭乗する搭乗席に近接した一方の側部であって、車両の前後方向での位置が搭乗席よりも前方又は側方の位置に設置された、車両の幅方向の衝突を検知する第一のセンサと、一方の側部であって、車両の前後方向での位置が第一のセンサの後方の位置に設置された、車両の幅方向の衝突を検知する第二のセンサと、搭乗席に設けられ、搭乗席に搭乗した乗員が搭乗席から移動することを規制する移動規制手段と、各センサからの検出信号と判定しきい値とを比較することで衝突の判定を行う衝突判定手段と、を有する乗員保護システムであって、第二のセンサの検知信号が判定しきい値を超えていない状態で、第一のセンサの検知信号が判定しきい値を超えたとき衝突と判定し、移動規制手段を作動させることを特徴とする。
【０００９】
本発明の乗員保護システムでは、衝突の判定を、後方に位置する第二のセンサの検知信号が判定しきい値を超えていない状態（衝突と判定していない状態）で、搭乗席よりも側方又は前方に位置する第一のセンサの検知信号が判定しきい値を超えたときに、衝突と判定する。
【００１０】
斜め衝突は、相対的に前方に位置するセンサ（第一のセンサに相当）の方が、相対的に後方に位置するセンサ（第二のセンサに相当）よりも衝突位置に近く、より早く衝突の衝撃が伝わり、その検知信号が判定しきい値を超える。つまり、衝突位置に近い相対的に前方に位置するセンサの検知信号のみから、斜め衝突の判定を行うことができる。また、相対的に前方に位置するセンサの検知信号のみから斜め衝突の判定を行うことで、相対的に後方に位置するセンサを判定に用いる必要がなくなるため、より早く衝突の判定を行うことができ、乗員の保護をより早く行うことができる。
【００１１】
そして、本発明の乗員保護システムは、判定手段が衝突と判定したら、移動規制手段を作動させる。これにより、移動規制手段が搭乗席の乗員の移動を規制し、乗員と衝突部位との間のクリアランスを確保することができる。
【００１２】
本発明の第二の乗員保護システムは、車両の一対の側部のうち乗員が搭乗する搭乗席に近接した一方の側部であって、車両の前後方向での位置が搭乗席よりも前方又は側方の位置に設置された、車両の幅方向の衝突を検知する第一のセンサと、一方の側部であって、車両の前後方向での位置が第一のセンサの後方の位置に設置された、車両の幅方向の衝突を検知する第二のセンサと、車両の幅方向の衝突を検知し、第一のセンサの冗長性を確保するためのセーフィングセンサと、搭乗席に設けられ、搭乗席に搭乗した乗員が搭乗席から移動することを規制する移動規制手段と、各センサからの検出信号と判定しきい値とを比較することで衝突の判定を行う衝突判定手段と、を有する乗員保護システムであって、判定手段は、第一のセンサ，第二のセンサの衝突の判定状態を保持する判定状態保持手段を有し、第一のセンサ又は第二のセンサの検知信号が判定しきい値を超えたとき、判定状態保持手段に保持されていた各センサの判定状態がいずれも衝突と判定していない状態であり、かつ第二のセンサの検知信号が該判定しきい値を超えていない状態で、第一のセンサの検知信号が該判定しきい値を超えたとき衝突と判定し、さらにセーフィングセンサの検知信号が判定しきい値を超えたとき、移動規制手段を作動させることを特徴とする。
【００１３】
本発明の乗員保護システムは、判定手段が、第一のセンサ，第二のセンサの衝突の判定状態を保持する判定状態保持手段を有している。そして、衝突を生じたときに、この判定状態保持手段が保持する各センサの判定状態を参照する。すなわち、各センサの判定状態を参照することで、当該衝突を判定することができる衝突であるか否かを判別できる。つまり、各センサの判定状態を参照することで、本発明の乗員保護システムは、誤判定を抑えることができる。
【００１４】
そして、本発明の乗員保護システムは、第二のセンサの検知信号が該判定しきい値を超えていない状態で、第一のセンサの検知信号が判定しきい値を超えたときに衝突と判定し、さらにセーフィングセンサの検知信号が判定しきい値を超えたときに移動規制手段を作動させる。上記した第一発明にさらにセーフィングセンサの判定結果を参照することで、より誤判定が抑えられたものとなっている。
【図面の簡単な説明】
【００１５】
【図１】第一実施形態の乗員保護システムが搭載された車両の概略構成図である。
【図２】第一実施形態の乗員保護システムのＥＣＵの構成を示した図である。
【図３】第一実施形態の乗員保護システムが搭載された車両への斜め衝突を示した図である。
【図４】第一実施形態の乗員保護システムの斜め衝突時の判定状態を示した図である。
【図５】第一実施形態の乗員保護システムの後方での斜め衝突時の判定状態を示した図である。
【図６】第二実施形態の乗員保護システムのＥＣＵの構成を示した図である。
【図７】第二実施形態の乗員保護システムの斜め衝突時の判定状態を示した図である。
【図８】第二実施形態の乗員保護システムの後方での斜め衝突時の判定状態を示した図である。
【図９】第三実施形態の乗員保護システムのＥＣＵの構成を示した図である。
【図１０】第三実施形態の乗員保護システムの斜め衝突時の判定状態を示した図である。
【図１１】第三実施形態の乗員保護システムの後方での斜め衝突時の判定状態を示した図である。
【図１２】第三実施形態の乗員保護システムの斜め衝突（一時的に非衝突と判定される）時の判定状態を示した図である。
【図１３】第三実施形態の乗員保護システムの後方での斜め衝突時の判定状態を示した図である。
【図１４】変形形態の乗員保護システムのＥＣＵの構成を示した図である。
【図１５】変形形態の乗員保護システムのＥＣＵの構成を示した図である。
【発明を実施するための形態】
【００１６】
［第一の乗員保護システム］
本発明の第一の乗員保護システムは、車両の一対の側部のうち乗員が搭乗する搭乗席に近接した一方の側部であって、車両の前後方向での位置が搭乗席よりも前方又は側方の位置に設置された、車両の幅方向の衝突を検知する第一のセンサと、一方の側部であって、車両の前後方向での位置が第一のセンサの後方の位置に設置された、車両の幅方向の衝突を検知する第二のセンサと、搭乗席に設けられ、搭乗席に搭乗した乗員が搭乗席から移動することを規制する移動規制手段と、各センサからの検出信号と判定しきい値とを比較することで衝突の判定を行う衝突判定手段と、を有する。
【００１７】
本発明の第一の乗員保護システムは、第一のセンサ及び第二のセンサを有する。この二つのセンサは、車両の一対の側部のうち乗員が搭乗する搭乗席に近接した一方の側部に設置される。車両の一対の側部とは車両の幅方向の両側部（すなわち、右側部及び左側部）を示し、搭乗席に近接した一方の側部とは、搭乗席が右側席であれば車両の右側部を、左側席であれば左側部を示す。
【００１８】
そして、第一のセンサは、車両の前後方向での位置が搭乗席よりも前方又は側方の位置に設置され、第二のセンサは、車両の前後方向での位置が第一のセンサの後方の位置に設置される。つまり、車両の搭乗席より前方側（側方より前方）に第一のセンサが、第一のセンサより後方側に第二のセンサが、それぞれ設置される。これにより、本発明の乗員保護システムで保護される乗員よりも相対的に前方の位置で、一方の側部に斜め衝突が生じたときに乗員を確実に保護できる。
【００１９】
第二のセンサは、車両の前後方向での位置が第一のセンサの後方の位置に設置されていればよいが、第一のセンサとの間に予め決められた間隔を隔てた位置に設置されることが好ましく、搭乗席よりも後方の位置であることがより好ましい。
【００２０】
本発明の乗員保護システムにおいて、第一のセンサ及び第二のセンサは、車両の幅方向の衝突を検知するセンサである。本発明の乗員保護システムにおいて検知する衝突は、衝突時の力が幅方向の成分をもつ。つまり、幅方向の衝突を検知するセンサを用いることで、側方からの衝突だけでなく斜め衝突も検知できる。
【００２１】
第一のセンサ及び第二のセンサは、車両の幅方向の衝突を検知するセンサであれば、具体的な構成は限定されるものではない。すなわち、従来の側方からの衝突時に乗員の保護を行うときに用いられているものと同様なセンサを用いることができる。第一及び第二のセンサとしては、ドア内の圧力変化を測定する圧力センサ、車両の幅方向の加速度を測定する加速度センサをあげることができる。
【００２２】
さらに、第一のセンサ及び第二のセンサは、従来の側方からの衝突に対して乗員の保護を行う乗員保護システムに搭載されているセンサを利用（共用）することができる。
【００２３】
移動規制手段は、搭乗席に設けられ、搭乗席に搭乗した乗員が搭乗席から移動することを規制する手段である。この移動規制手段は、搭乗者の移動を規制することで、搭乗者が車両の車室の内壁と衝突することを抑えることができる。特に、衝突時に作動させることで慣性により乗員が移動して被衝突物（衝突部位）に向かって乗員が移動することを抑えることができ、被衝突物（衝突部位）と乗員とのクリアランスを確保することができる。
【００２４】
移動規制手段は、乗員の移動を規制することができる装置であれば限定されるものではなく、たとえば、シートベルトのたるみをとるとともにシートベルトが引き出されることを規制するプリテンショナをあげることができる。
【００２５】
判定手段は、各センサからの検出信号と判定しきい値とを比較することで衝突の判定を行う手段である。各センサからの検出信号は、その信号の種類が限定されるものではなく、センサが出力する信号のみだけでなく、反転，増幅等の処理や、積分等の処理を行った処理後の信号であっても、いずれでもよい。判定しきい値は、本発明の乗員保護システムにおいて、衝突と判定するためのしきい値であり、適宜設定される。たとえば、斜め衝突に対する判定しきい値は、車両の前後方向（進行・後退方向）や側方からの衝突の判定に用いられるしきい値とは異なるしきい値であるが、側方からの衝突の判定に用いられるしきい値と共通であってもよい。
【００２６】
判定しきい値は、予め決定しておいても、車両の状態から算出しても、いずれでもよい。また、判定しきい値は、各センサからの検出信号と比較したときに、衝突と判定できる形態であればよく、検出信号からの値が予め決定されたしきい値を超える（より低下する）場合に斜め衝突と判定する形態であっても、検出信号からの値が予め決定された範囲（しきい値の範囲）を外れる場合に斜め衝突と判定する形態であっても、いずれでもよい。
判定手段は、従来の乗員保護システムにおいて、衝突の判定を行っている手段を用いることができ、たとえば、演算ユニット（ＥＣＵ）をあげることができる。
【００２７】
そして、本発明の乗員保護システムは、第二のセンサの検知信号が判定しきい値を超えていない状態で、第一のセンサの検知信号が判定しきい値を超えたとき斜め衝突と判定し、移動規制手段を作動させる。
【００２８】
つまり、斜め衝突の判定を、相対的に後方に位置する第二のセンサの検知信号が判定しきい値を超えていない状態（衝突と判定していない状態）で、搭乗席よりも側方又は前方に位置する第一のセンサの検知信号が判定しきい値を超えたときに、衝突と判定する。
【００２９】
本発明の乗員保護システムは、衝突に対して保護すべき乗員の搭乗席は、衝突場所から相対的に後方に位置している。具体的には、衝突が生じると、車両の変形が生じて衝突場所と乗員とのクリアランスがより少なくなるおそれが高くなる。このおそれのため、搭乗席より相対的に前方での衝突（側方からの衝突や斜め衝突）に対する乗員の保護が特に要求されており、第一のセンサが乗員より衝突場所に近接した位置に配置されている。
【００３０】
一般的に、衝突の衝撃は、衝突場所からの距離が長くなるほど、遅く伝わる。つまり、衝突場所からの距離が長くなるほど、センサによる検知（及び衝突判定）が遅くなる。この差は、本発明の乗員保護システムにおいて、二つのセンサのうち、前方に設置されている第一のセンサの方が、第二のセンサよりも斜め衝突の判定を先に行うことができることを示す。つまり、第二のセンサで衝突の判定がされていない状態で、第一のセンサで衝突の判定を行うことで、車両に対して、乗員を保護すべき衝突が生じたと判定することができる。
【００３１】
さらに、本発明の乗員保護システムは、第一のセンサでの衝突の判定のみから衝突の判定を行っている。すなわち、第二のセンサでの判定結果を利用していない。このことは、第二のセンサの判定結果を待つことなく衝突の判定を行うことを示し、衝突の判定を素早く行うことができることを示す。
【００３２】
そして、本発明の乗員保護システムは、判定手段が衝突と判定したら、移動規制手段を作動させる。これにより、移動規制手段が搭乗席の乗員の移動を規制し、乗員と衝突部位との間のクリアランスを確保することができる。
【００３３】
本発明の乗員保護システムは、乗員を保護すべき衝突の判定を遅延を生じることなく行うことができ、結果として、保護すべき乗員を適切に保護（加わる傷害値を下げる）ことができる。
【００３４】
本発明の乗員保護システムにおいて、第一のセンサの検知信号が判定しきい値を超えていない状態で、第二のセンサの検知信号が判定しきい値を超えたときには、移動規制手段の作動を禁止することが好ましい。
【００３５】
上記したように、衝突の衝撃が到達する時間は、衝突場所からの距離に比例する。第一のセンサよりも後方側に第二のセンサが設置されており、第二のセンサの検知信号が判定しきい値を超えたとき（第二のセンサで衝突と判定したとき）には、衝突場所と乗員との間のクリアランスの減少が抑えられていると判断でき、移動規制手段の作動することで乗員が傷害を受けることを防止することで、乗員が受ける総合した傷害値を低減できる。
【００３６】
また、必要のない衝突時に移動規制手段の作動を抑えることで、その後の修理に要するコストの上昇を抑えることができる。より具体的には、移動規制手段の代表例であるシートプリテンショナは、一度作動すると交換の必要がある。必要のないシートプリテンショナの作動は、その後の修復時にシートベルトの交換が必要となり、コストの上昇を招く。
【００３７】
本発明の乗員保護システムにおいて、移動規制手段の作動は、予め決定された移動規制手段禁止時間が経過するまで禁止されることが好ましい。
移動規制手段を予め決められた移動規制手段禁止時間が経過するまで禁止することで、移動規制手段禁止時間が経過するまでの間に移動規制手段が誤作動をすることが抑えられる。
【００３８】
移動規制手段禁止時間とは、特に限定されるものではなく、予め決定されて判定手段に規定されている時間であっても、衝突を受けた車両の各センサの判定条件から決定しても、いずれでもよい。
【００３９】
本発明の乗員保護システムにおいて、車両の幅方向の衝突を検知し、第一のセンサの冗長性を確保するためのセーフィングセンサをさらに有し、さらに、セーフィングセンサからの検知信号が判定しきい値を超えたとき、移動規制手段を作動させることが好ましい。
【００４０】
すなわち、従来の側方からの衝突での衝突の判定の場合と同様に、セーフィングセンサを移動規制手段の作動（起動）の判定に用いてもよい。移動規制手段の作動（起動）に、第一のセンサとセーフィングセンサとからの検出信号を利用することで、異なる系の二つのセンサからの検出信号を判定に用いることとなり、移動規制手段の誤作動（誤起動）を抑えることができる。セーフィングセンサは、従来の乗員保護システムでのセーフィングセンサと同様な機能及び構成とすることができる。
本発明の乗員保護システムでは、第一のセンサは、車両のドア内に設置され、第二のセンサは、車両のピラーに設置されることが好ましい。第一のセンサが車両のドアに、第二のセンサがピラーに設置されることで、当該ドアに近接した搭乗席に搭乗した乗員の保護に効果を発揮する。
【００４１】
［第二の乗員保護システム］
本発明の第二の乗員保護システムは、車両の一対の側部のうち乗員が搭乗する搭乗席に近接した一方の側部であって、車両の前後方向での位置が搭乗席よりも前方又は側方の位置に設置された、車両の幅方向の衝突を検知する第一のセンサと、一方の側部であって、車両の前後方向での位置が第一のセンサの後方の位置に設置された、車両の幅方向の衝突を検知する第二のセンサと、車両の幅方向の衝突を検知し、第一のセンサの冗長性を確保するためのセーフィングセンサと、搭乗席に設けられ、搭乗席に搭乗した乗員が搭乗席から移動することを規制する移動規制手段と、各センサからの検出信号と判定しきい値とを比較することで衝突の判定を行う衝突判定手段と、を有する乗員保護システムである。
【００４２】
本発明の第二の乗員保護システムにおいて、第一及び第二のセンサ，セーフィングセンサ，移動規制手段，衝突判定手段について、特に言及しない構成については、上記の第一の乗員保護システムと同様とすることができる。
【００４３】
そして、本発明の乗員保護システムは、判定手段が、第一のセンサ，第二のセンサの衝突の判定状態を保持する判定状態保持手段を有する。判定状態保持手段は、各センサの判定条件を保持しており、衝突の判定を行うときに判定状態保持手段が保持する判定条件を参照することで、より高い精度での判定を行うことができる。すなわち、誤判定を抑えることができる。
【００４４】
本発明の乗員保護システムは、第一のセンサ又は第二のセンサの検知信号が判定しきい値を超えたとき、判定状態保持手段に保持されていた各センサの判定状態がいずれも衝突と判定していない状態であり、かつ第二のセンサの検知信号が判定しきい値を超えていない状態で、第一のセンサの検知信号が判定しきい値を超えたとき衝突と判定し、さらにセーフィングセンサの検知信号が判定しきい値を超えたときに移動規制手段を作動させる。
【００４５】
判定手段が、第一のセンサ又は第二のセンサの検知信号が判定しきい値を超えたとき、判定状態保持手段に保持されていた各センサの判定状態がいずれも衝突と判定していない状態であると判定することで、より高い精度での判定を行うことができる。具体的には、第一のセンサ又は第二のセンサの検知信号が判定しきい値を超えて判定状態保持手段に保持されていた各センサの判定状態を参照したときに、いずれかのセンサが衝突と判定している状態であると判定したときには、１つの衝突事象が継続していると判断できる。衝突と判断するか否かは、各センサの判定状態がいずれも衝突と判定していない状態から第一のセンサ又は第二のセンサの検知信号が判定しきい値を超えたときの判定に基づき決定されるのが好ましいが、衝突が継続している状態で判定を行った場合、先の判定と異なる判定結果となる可能性がある。つまり、誤検知（誤判定）を生じる可能性がある。このため、本発明では、判定状態保持手段に保持されていた各センサの判定状態がいずれのセンサでも衝突と判定していない状態であるときに、第一のセンサ又は第二のセンサの検知信号が判定しきい値を超えた衝突から、衝突の判定を行うことで、このような誤検知（誤判定）を排除する。
【００４６】
そして、本発明の乗員保護システムでは、第一のセンサ又は第二のセンサの検知信号が判定しきい値を超えたとき、判定状態保持手段に保持されていた各センサの判定状態がいずれも衝突と判定していない状態であり、かつ第二のセンサの検知信号が判定しきい値を超えていない状態で、第一のセンサの検知信号が判定しきい値を超え、さらにセーフィングセンサの検知信号が判定しきい値を超えたときに衝突と判定する。この判定については、上記の第一の乗員保護システムと同様である。
【００４７】
そして、本発明の乗員保護システムは、判定手段が衝突と判定したら、移動規制手段を作動させる。この移動規制手段の効果についても、上記の第一の乗員保護システムと同様である。
本発明の乗員保護システムは、乗員を保護すべき衝突の判定を誤判定の発生を抑えることができ、結果として、保護すべき乗員を適切に保護（加わる傷害値を下げる）ことができる。
【００４８】
本発明の乗員保護システムにおいて、第一のセンサ又は第二のセンサの検知信号が判定しきい値を超えてから、予め決定された第一の時間が経過するまで、検知信号が検知した衝突が継続していると判定することが好ましい。
【００４９】
第一のセンサ又は第二のセンサの検知信号が判定しきい値を超えてから（衝突の判定をしてから）、予め決定された第一の時間が経過するまで、検知信号が検知した衝突が継続していると判定することで、誤検知（誤判定）の発生を抑えることができる。
【００５０】
具体的には、第一のセンサの検知信号が判定しきい値を超えてから（乗員を保護すべき衝突の判定を開始してから）、当該衝突が短時間に完了して第一のセンサの検知信号が判定しきい値を超えなくなった後に、セーフィングセンサの検知信号が判定しきい値を超えた場合にも、予め決定された第一の時間が経過していない状態であれば、当該衝突の判定を行うことができる。すなわち、誤検知（誤判定）の発生を抑えることができる。
【００５１】
本発明の乗員保護システムにおいて、予め決定された第一の時間は、第一のセンサ及び第二のセンサが衝突が終了したと判定するまでの時間であることが好ましい。予め決定された第一の時間を、第一のセンサ及び第二のセンサの二つのセンサが衝突が終了した（二つのセンサの判定結果が、いずれも衝突していないと判定する）状態までとすることで、より誤検知（誤判定）の発生を抑えることができる。
【００５２】
本発明の乗員保護システムにおいて、第一のセンサ又は第二のセンサの検知信号が判定しきい値を超えたとき、判定状態保持手段に保持されていた各センサの判定状態がいずれも衝突と判定していない状態であり、第一のセンサの検知信号が判定しきい値を超えていない状態で、第二のセンサの検知信号が判定しきい値を超えたときには、移動規制手段の作動を禁止することが好ましい。
【００５３】
上記したように、衝突の衝撃が到達する時間は、衝突場所からの距離に比例する。第一のセンサよりも後方側に第二のセンサが設置されており、第二のセンサの検知信号が判定しきい値を超えたとき（第二のセンサで衝突と判定したとき）には、衝突場所と乗員との間のクリアランスの減少が抑えられていると判断でき、移動規制手段の作動することで乗員が傷害を受けることを防止することで、乗員が受ける総合した傷害値を低減できる。
【００５４】
また、必要のない衝突時に移動規制手段の作動を抑えることで、その後の修理に要するコストの上昇を抑えることができる。より具体的には、移動規制手段の代表例であるプリテンショナは、一度作動すると交換しなければならない。必要のないプリテンショナの作動は、その後の修復時にシートベルトのユニットごとの交換が必要となり、コストの上昇を招く。
【００５５】
本発明の乗員保護システムにおいて、移動規制手段の作動は、予め決定された移動規制手段禁止時間が経過するまで禁止されることが好ましい。
移動規制手段を予め決められた移動規制手段禁止時間が経過するまで禁止することで、移動規制手段禁止時間が経過するまでの間に移動規制手段が誤作動をすることが抑えられる。
【００５６】
移動規制手段禁止時間とは、特に限定されるものではなく、予め決定されて判定手段に規定されている時間であっても、衝突を受けた車両の各センサの判定条件から決定しても、いずれでもよい。
【００５７】
本発明の乗員保護システムにおいて、判定状態保持手段に保持されていた各センサの少なくとも一つの判定状態が衝突と判定しているときには、第一のセンサ又は第二のセンサが検知した衝突の判定を禁止することが好ましい。
【００５８】
判定状態保持手段が、少なくとも一つの判定状態が衝突と判定しているときには、以前の衝突が継続していると判断することができ、上記したように誤検知（誤判定）のおそれがある。この状態のときに衝突の判定を禁止することで、本発明の乗員保護システム全体の誤作動を抑えることができる。
【００５９】
斜め衝突の判定の禁止は、予め決定された第一の時間が経過するまでなされることが好ましく、判定状態保持手段が保持する第一のセンサ，第二のセンサ及びセーフィングセンサの全てのセンサの判定状態が、衝突を判定していない状態となるまでであることが好ましい。
本発明の乗員保護システムでは、第一のセンサは、車両のドア内に設置され、第二のセンサは、車両のピラーに設置されることが好ましい。第一のセンサが車両のドアに、第二のセンサがピラーに設置されることで、当該ドアに近接した搭乗席に搭乗した乗員の保護に効果を発揮する。
【００６０】
［第一及び第二の乗員保護システムの共通構成］
上記した第一の乗員保護システム及び第二の乗員保護システムに特有の構成以外の構成については、特に限定されるものではなく、従来公知の構成を採用することができる。
【００６１】
すなわち、本発明の乗員保護システムが搭載される車両については、各センサ，移動規制手段，衝突判定手段等の手段が搭載される車両については、限定されるものではない。また、各手段の接続についても、それぞれの機能を発揮できる形態であれば限定されるものではない。
本発明の第一及び第二の乗員保護システムは、移動規制手段以外の乗員の保護を行う手段（デバイス）を搭載していてもよい。
移動規制手段以外の乗員の保護を行う手段（デバイス）としては、サイドエアバッグ，カーテンエアバッグ等のエアバッグをあげることができる。
【００６２】
本発明の第一及び第二の乗員保護システムが、サイドエアバッグ，カーテンエアバッグ等の側方からの衝突時に乗員を保護するエアバッグを有する場合、本発明の各構成要素（各センサ及び衝突判定手段）は、これらのエアバッグを利用するために設置されたセンサ等の構成要素を共用することが好ましい。
【実施例】
【００６３】
以下、実施形態例を用いて具体的に本発明を説明する。
本発明の実施形態例として、車両に搭載された乗員保護システムでの衝突の検知を具体的に説明する。
【００６４】
［第一実施形態］
本形態は、図１にその概略が示された車両（車室）Ｃに設けられた乗員保護システムである。本形態は、上記した本発明の第一の乗員保護システムを具体的に説明する形態である。
【００６５】
図１に示したように、車両Ｃは、前後左右にそれぞれ２席の搭乗席を備えている。各搭乗席に近接した位置に、それぞれの席に対応したドアＤを有する。すなわち、前席右ＳＦＲ，前席左ＳＦＬ，後席右ＳＲＲ，後席左ＳＲＬの４つの搭乗席と、前席右ドアＤＦＲ，前席左ドアＤＦＬ，後席右ドアＤＲＲ，後席左ドアＤＲＬの４つのドアをもつ。前席右ドアＤＦＲと後席右ドアＤＲＲの間及び前席左ドアＤＦＬと後席左ドアＤＲＬの間には、それぞれＢ−ピラーＢＲ，ＢＬを備えている。
【００６６】
本形態の乗員保護システムは、電子制御ユニット（ＥＣＵ）１と、複数のサテライトセンサ２１，２２と、プリテンショナ３と、を備えている。ＥＣＵ１，複数のサテライトセンサ２１，２２のそれぞれ，プリテンショナ３は、図示されない通信線で接続されている。
【００６７】
ＥＣＵ１は、車両Ｃのほぼ中央に配設されており、車両Ｃに加わった衝突の判定及びプリテンショナ３の起動制御を行う。具体的には、各サテライトセンサ２１，２２からの検出信号の積分値と、斜め衝突と判定する判定しきい値と、を比較することで斜め衝突の判定を行う。
【００６８】
ＥＣＵ１は、図２に示したように、積分部１０（１０ａ，１０ｂ）と、しきい値保持部１１（１１ａ，１１ｂ）と、衝突判定部１２（１２ａ，１２ｂ）と、判定結果延長部１３（１３ａ，１３ｂ）と、先行衝突判定部１４と、作動禁止判定部１５と、プリテンショナ起動指示部１６と、を備えて構成されている。
【００６９】
積分部１０は、各センサ２１，２２からの検出信号が入力され積分値を算出する。積分部１０ａにはセンサ２１からの検出信号が入力され、積分部１０ｂにはセンサ２２からの検出信号が入力される。
【００７０】
しきい値保持部１１は、予め決定された判定しきい値（衝突と判定するためのしきい値）を保持する。しきい値保持部１１ａが保持する判定しきい値はセンサ２１の検出結果の判定に用いられ、しきい値保持部１１ｂが保持する判定しきい値はセンサ２２の検出結果の判定に用いられる。
【００７１】
衝突判定部１２は、積分部１０で算出された積分値と、しきい値保持部１１が保持する判定しきい値と、を比較する。積分値が判定しきい値を超えた場合に、斜め衝突が生じたと判定し、たとえば、判定結果「Ｙ（Ｙｅｓ）」（あるいは真値「１」）を出力する。
【００７２】
判定結果延長部１３は、衝突判定部１２が判定した判定結果を予め決定されている時間延長する。たとえば、衝突判定部１２が出力した判定結果「Ｙ」の出力を延長する。判定結果延長部１３による判定結果の延長は、図４中、「延長」と示した部分に相当する。
【００７３】
先行衝突判定部１４は、判定結果延長部１３を介して衝突判定部１２が判定した判定結果が入力される。先行衝突判定部１４は、センサ２１からの判定結果とセンサ２２の判定結果とから、センサ２２での衝突の判定がセンサ２１での衝突の判定よりも先行しているか否かを判定する。たとえば、判定結果延長部１３ａが判定結果「Ｙ」を出力していない状態で、判定結果延長部１３ｂが判定結果「Ｙ」を出力した場合に、センサ２２での衝突の判定がセンサ２１での衝突の判定に先行していると判定し、判定結果「Ｙ」を出力する。
【００７４】
作動禁止判定部１５は、先行衝突判定部１４の判定結果が入力され、予め決定されている所定の時間が経過するまで、プリテンショナ３の起動を禁止する。作動禁止判定部１５は、先行衝突判定部１４が判定結果「Ｙ」を出力した場合に、プリテンショナ３の起動を禁止する信号を出力する。なお、予め決定されている所定の時間は、請求項の「予め決定された移動規制手段禁止時間」に相当し、衝突事象が終了するまでの時間に設定されている。
【００７５】
プリテンショナ起動指示部１６は、判定結果延長部１３を介した衝突判定部１２の判定結果と、作動禁止判定部１５の信号と、が入力される。プリテンショナ起動指示部１６は、作動禁止判定部１５がプリテンショナ３の起動を禁止していない状態で、センサ２１又はセンサ２２での斜め衝突が判定されたとき、すなわち、センサ２２で衝突が判定されていない状態で、センサ２１で斜め衝突が判定されたときに、プリテンショナ３を起動する。
【００７６】
本形態において、ＥＣＵ１は、回路基板と、回路基板上に取り付けられた演算装置（ＣＰＵ）と、回路基板上に取り付けられたセーフィングセンサ１９と、を備えている。
【００７７】
複数のサテライトセンサは、車両Ｃの側部に配設されている。具体的には、各ドアと、各Ｂ−ピラーのそれぞれにサテライトセンサが配設されている。これらのサテライトセンサは、それぞれのセンサに応じた車両状態を検出可能なセンサであり、車両Ｃの側方からの衝突を検知する。
【００７８】
本形態の乗員保護システムは、各ドアＤと、各Ｂ−ピラーＢのそれぞれにサテライトセンサ２１，２２が配設されている。図１に示したように、前席左ドアＤＦＬに左側サテライトセンサ２１が、左側Ｂ−ピラーＢＬに左側サテライトセンサ２２が、それぞれ配設されている。なお、二つのサテライトセンサ２１，２２以外の他のサテライトセンサは、図の記載を省略した。
【００７９】
プリテンショナ３は、車両の搭乗席のそれぞれに設けられ、シートベルトＳＢのたるみをとり除くことにより、乗員が前方に動き出す前に確実に座席に固定する。プリテンショナ３は、ＥＣＵ１からの起動信号により作動（起動）する。プリテンショナ３は、４つの搭乗席のそれぞれに配設されており、図１では前席左ＳＦＬのみ図示した（他は図略）。
【００８０】
（乗員保護システムの動作）
（斜め衝突）
本形態の乗員保護システムの動作について、車両Ｃの前席左ドアＤＦＬの前方の衝突位置（左フロントタイヤ近傍）に斜め前方から被衝突物が斜め衝突した場合について具体的に説明する。車両Ｃにおける衝突部位を、図３に示した。本衝突形態の乗員保護システムの動作について、ＥＣＵ１における各センサ２１，２２での判定状態を図４に示した。
まず、ＥＣＵ１は、予め決定されている所定の周期（たとえば０．５ｍｓ周期）で各センサ２１，２２の検出信号を取り込んでいる。
そして、車両Ｃの衝突位置に斜め衝突が発生し、斜め衝突の衝撃が車両Ｃを伝わる。
【００８１】
車両Ｃに斜め衝突が発生すると、その衝撃は、まず、車両Ｃを介してセンサ２１に、その後、センサ２２に伝わる。この衝撃の伝達時間は、衝突部位からの距離に比例するものであり、センサ２１にはただちに（時間ｔ０で）、センサ２２には時間ｔ０からわずかにおくれて（時間ｔ１で）、それぞれ伝わる。
【００８２】
最初に斜め衝突が検知される時間ｔ０までの間は、衝突を全く検知していない状態である。各センサ２１，２２が衝突を検知していないため、各センサ２１，２２からの検出信号の積分値と判定しきい値とを比較しても、積分値が判定しきい値を超えないため、プリテンショナ３を起動しない。
【００８３】
時間ｔ０で衝突の衝撃が伝わると、センサ２１は、衝撃に起因する検出信号をＥＣＵ１に向けて発する。検出信号は、積分部１０ａに入力され、積分値が出力される。積分値は、衝突判定部１２ａに入力され、しきい値保持部１１ａに保持されている判定しきい値と、入力された積分値と、を比較して、積分値が判定しきい値を超えたら衝突と判定して判定結果「Ｙ」を出力する。
【００８４】
時間ｔ０より後の時間ｔ１で衝突の衝撃が伝わると、センサ２２は、衝撃に起因する検出信号をＥＣＵ１に向けて発する。検出信号は、積分部１０ｂに入力され、積分値が出力される。積分値は、衝突判定部１２ｂに入力され、しきい値保持部１１ｂに保持されている判定しきい値と、入力された積分値と、を比較して、積分値が判定しきい値を超えたら衝突と判定して判定結果「Ｙ」を出力する。
【００８５】
本形態では、まず、時間ｔ０で衝突判定部１２ａが判定結果「Ｙ」を出力する。この時間ｔ０では、衝突判定部１２ｂでは衝突の判定が完了しておらず、判定結果「Ｙ」が出力されていない（判定結果「Ｎ（Ｎｏ）」が出力される）。
【００８６】
衝突判定部１２ａ及び１２ｂの判定結果は、それぞれ判定結果延長部１３（１３ａ，１３ｂ）及び第二衝突判定部１３０を介してプリテンショナ起動指示部１６に入力される。第二衝突判定部１３０は、衝突判定部１２ａ及び１２ｂの判定結果が入力され、いずれかの判定結果が「Ｙ」である場合に、プリテンショナ起動指示部１６に判定結果「Ｙ」を出力する。
【００８７】
衝突判定部１２ａ及び１２ｂの判定結果は、それぞれ判定結果延長部１３（１３ａ，１３ｂ）を介して先行衝突判定部１４に入力される。先行衝突判定部１４には、衝突判定部１２ａからは反転した信号が入力され、衝突判定部１２ｂからは反転しない信号が入力される。
【００８８】
衝突が生じた時間ｔ０では、衝突判定部１２ａが判定結果「Ｙ」を出力し、衝突判定部１２ｂが判定結果「Ｎ」を出力している。先行衝突判定部１４には、二つの判定結果「Ｎ」が入力されており、センサ２２での衝突の判定がセンサ２１での衝突の判定に先行していないと判定し、判定結果「Ｙ」を出力しない（判定結果「Ｎ」が出力される）。
【００８９】
プリテンショナ起動指示部１６には、第二衝突判定部１３０からは反転しない信号が入力され、先行衝突判定部１４からは作動禁止判定部１５を介して反転した信号が入力される。
【００９０】
斜め衝突時には、上記のように、第二衝突判定部１３０からは判定結果「Ｙ」が、先行衝突判定部１４からは判定結果「Ｎ」が、それぞれ出力される。そして、プリテンショナ起動指示部１６には、二つの判定結果「Ｙ」が入力し、プリテンショナ３に起動を指示する（起動信号を送信する）。
そして、プリテンショナ３が作動（起動）して、搭乗席ＳＦＬの乗員をシートベルトＳＢで拘束（移動を規制）して、乗員を保護する。
【００９１】
すなわち、本形態では、センサ２１が衝突を検知して衝突と判定する時間ｔ０においてプリテンショナ３が作動（起動）して、乗員を保護することができる。すなわち、センサ２２が衝突と判定する時間ｔ１よりも早い時間で乗員を保護することができる効果を発揮する。
そして、本形態では、乗員と車両Ｃとのクリアランスを広く確保することができる効果を発揮する。
【００９２】
（後方での斜め衝突）
本形態の乗員保護システムの動作について、車両Ｃの後席左ドアＤＲＬの後方（左リアタイヤ近傍）に衝突した場合の動作を説明する。本衝突形態の乗員保護システムの動作について、ＥＣＵ１における各センサ２１，２２での判定状態を、図４と同様な図で図５に示した。
【００９３】
車両Ｃに衝突が発生すると、その衝撃は、まず、車両Ｃを介してセンサ２２に、その後、センサ２１に伝わる。この衝撃の伝達時間は、衝突部位からの距離に比例するものであり、センサ２２にはただちに（時間ｔ０で）、センサ２１には時間ｔ０からわずかにおくれて（時間ｔ１で）、それぞれ伝わる。
【００９４】
時間ｔ０で斜め衝突の衝撃が伝わると、センサ２２は、衝撃に起因する検出信号をＥＣＵ１に向けて発する。検出信号は、積分部１０ｂに入力され、積分値が出力される。積分値は、衝突判定部１２ｂに入力され、しきい値保持部１１ｂに保持されている判定しきい値と、入力された積分値と、を比較して、積分値が判定しきい値を超えたら衝突と判定して判定結果「Ｙ」を出力する。
【００９５】
時間ｔ０より後の時間ｔ１で衝突の衝撃が伝わると、センサ２１は、衝撃に起因する検出信号をＥＣＵ１に向けて発する。検出信号は、積分部１０ａに入力され、積分値が出力される。積分値は、衝突判定部１２ａに入力され、しきい値保持部１１ａに保持されている判定しきい値と、入力された積分値と、を比較して、積分値が判定しきい値を超えたら衝突と判定して判定結果「Ｙ」を出力する。
【００９６】
本形態では、まず、時間ｔ０で衝突判定部１２ｂが判定結果「Ｙ」を出力する。この時間ｔ０では、衝突判定部１２ａでは衝突の判定が完了しておらず、判定結果「Ｙ」が出力されていない（判定結果「Ｎ」が出力される）。
衝突判定部１２ａ及び１２ｂの判定結果は、上記した形態のときと同様に、プリテンショナ起動指示部１６に入力される。
【００９７】
衝突判定部１２ａ及び１２ｂの判定結果は、それぞれ判定結果延長部１３（１３ａ，１３ｂ）を介して先行衝突判定部１４に入力される。先行衝突判定部１４には、衝突判定部１２ａからは反転した信号が入力され、衝突判定部１２ｂからは反転しない信号が入力される。
【００９８】
衝突を判定した時間ｔ０では、衝突判定部１２ｂが判定結果「Ｙ」を出力し、衝突判定部１２ａが判定結果「Ｎ」を出力している。先行衝突判定部１４には、二つの判定結果に基づく信号「Ｙ」が入力されており、センサ２２での衝突の判定がセンサ２１での衝突の判定に先行していると判定し、判定結果「Ｙ」を出力する。
【００９９】
先行衝突判定部１４の判定結果「Ｙ」の出力は、作動禁止判定部１５に入力される。作動禁止判定部１５は、判定結果「Ｙ」が入力されたら、予め決定されている所定の時間（請求項の移動規制手段禁止時間に相当）が経過するまで、プリテンショナ３の起動を禁止する（禁止信号を出力する）。
【０１００】
作動禁止判定部１５は、本形態においては図５に示したように、センサ２１とセンサ２２の両方が衝突の判定を終了する時間ｔ２より後の時間ｔ３まで、プリテンショナ３の起動を禁止する（禁止信号を出力する）。
【０１０１】
プリテンショナ起動指示部１６には、第二衝突判定部１３０からの信号（判定結果「Ｙ」）と、作動禁止判定部１５からは判定結果「Ｙ」が反転した信号（すなわち、判定結果「Ｎ」）と、が入力される。そして、プリテンショナ起動指示部１６には、判定結果「Ｙ」と判定結果「Ｎ」が入力され、プリテンショナ３に起動を指示しない（起動信号が送信されない）。
【０１０２】
以上に説明したように、本形態では、センサ２２で衝突と判定していない状態であり、かつセンサ２１で衝突と判定した状態で、車両Ｃに対して、前席左ＳＦＬに搭乗した乗員を保護すべき衝突が発生したと判定し、プリテンショナ３を作動（起動）する。また、センサ２１で衝突と判定していない状態であり、かつセンサ２２で衝突と判定した状態では、プリテンショナ３が作動（起動）しない。
【０１０３】
このように、本形態の乗員保護システムでは、前方に位置するセンサ２１の検知信号のみから衝突の判定を行うことで、後方に位置するセンサ２２を判定に用いる必要がなくなるため、より早く衝突の判定を行うことができ、乗員の保護をより素早く開始することができる。
【０１０４】
さらに、本形態の乗員保護システムは、ＥＣＵ１が衝突と判定したら、プリテンショナ３を起動する。これにより、プリテンショナ３が搭乗席の乗員を拘束し、乗員の移動が規制され、乗員と衝突部位との間のクリアランスをより広く確保することができる効果を発揮する。
【０１０５】
［第二実施形態］
本形態は、第一実施形態において、プリテンショナ３の作動（起動）の判定にセーフィングセンサ１９の検知信号もさらに利用する形態である。
本形態では、セーフィングセンサ１９は、側面からの衝突等の従来の衝突の検知において用いられているものと同様に、ＥＣＵ１に搭載されている。
本形態のＥＣＵ１の構成を、図２と同様にして図６で示した。ＥＣＵ１における各センサ２１，２２での判定状態を、図４と同様な図で図７及び図８に示した。
【０１０６】
図６に示したように、本形態のＥＣＵ１は、第一実施形態のＥＣＵ１に、プリテンショナ起動指示部１６の判定結果と、セーフィングセンサ１９からの判定結果と、が入力されるプリテンショナ起動最終指示部１７を有する。
【０１０７】
本形態のＥＣＵ１においても、第一実施形態のＥＣＵ１と同様に、セーフィングセンサ１９からの信号は、積分部１０（１０ｃ），しきい値保持部１１（１１ｃ），衝突判定部１２（１２ｃ），判定結果延長部１３（１３ｃ）を介して処理される。
本形態においては、プリテンショナ起動指示部１６までは第一実施形態と同様に判定を行う。
セーフィングセンサ１９は、第一実施形態で上記したように、センサ２２が衝突の判定を行う時間ｔ１よりも後の時間ｔ２で衝突の判定を行う。
【０１０８】
プリテンショナ起動最終指示部１７は、プリテンショナ起動指示部１６の判定結果「Ｙ」と、セーフィングセンサ１９からの判定結果「Ｙ」が入力されたときに、図７に示したように、プリテンショナ３を起動する。
【０１０９】
また、プリテンショナ起動最終指示部１７は、プリテンショナ起動指示部１６の判定結果「Ｎ」が入力されれば、セーフィングセンサ１９からの判定結果「Ｙ」が入力されても、図８に示したように、プリテンショナ３を起動しない。
【０１１０】
本形態では、プリテンショナ３の作動（起動）に際して、車両のほぼ中央に配されたセーフィングセンサ１９の判定結果も、判定に利用している。すなわち、異なる系の複数のセンサの判定結果から、プリテンショナ３の作動（起動）を決定している。このため、より誤作動が生じなくなるという効果を発揮する。
【０１１１】
［第三実施形態］
本形態は、図１にその概略が併せて示された車両（車室）Ｃに設けられた乗員保護システムである。
【０１１２】
本形態の乗員保護システムは、電子制御ユニット（ＥＣＵ）４と、複数のサテライトセンサ２１，２２と、プリテンショナ３と、を備えている。ＥＣＵ４は、サテライトセンサ２１，サテライトセンサ２２，及びプリテンショナ３と、図示されない通信線で接続されている。
【０１１３】
ＥＣＵ４は、車両Ｃのほぼ中央に配設されており、車両Ｃに加わった衝突（斜め衝突）の判定及びプリテンショナ３の起動制御を行う。具体的には、各サテライトセンサ２１，２２及びセーフィングセンサ４９からの検出信号の積分値と、斜め衝突と判定する判定しきい値と、を比較することで斜め衝突の判定を行う。
【０１１４】
ＥＣＵ４は、図９に示したように、積分部４０（４０ａ，４０ｂ，４０ｃ）と、しきい値保持部４１（４１ａ，４１ｂ，４１ｃ）と、衝突判定部４２（４２ａ，４２ｂ，４２ｃ）と、判定結果延長部４３（４３ａ，４３ｂ，４３ｃ）と、衝突事象開始判定部４４と、衝突事象中判定部４５と、Ｂ−ピラー判定部４６と、プリテンショナ作動禁止判定部４７と、プリテンショナ起動指示部４８と、を備えて構成されている。また、ＥＣＵ４は、第二実施形態と同様にセーフィングセンサ４９を有する。
【０１１５】
積分部４０，しきい値保持部４１，衝突判定部４２，判定結果延長部４３のそれぞれは、上記の第一及び第二実施形態の積分部１０，しきい値保持部１１，衝突判定部１２，判定結果延長部１３と同様の構成である。
【０１１６】
衝突事象開始判定部４４は、車両Ｃが検知した衝突の開始を判定する。衝突事象開始判定部４４は、判定状態保持部４４０と、衝突事象開始判定本体部４４１と、を備えている。
【０１１７】
判定状態保持部４４０は、車両Ｃが検知した衝突の開始を判定するときに衝突直前の各センサ２１，２２の判定状態を保持する。判定状態保持部４４０には、各センサ２１，２２のいずれかが衝突の検知を行っている場合、衝突の検知を行っているセンサからの入力が検知信号「Ｙ」になり、それ以外のセンサからの入力が検知信号「Ｎ」となる。そして、判定状態保持部４４０は、衝突直前の各センサ２１，２２の判定状態を保持するものであり、各センサからの入力信号の全てが「Ｎ」の場合に、衝突が生じていないと判定し、検知信号「Ｎ」を出力する。各センサからの入力信号の少なくとも一つが検知信号「Ｙ」の場合には、検知信号「Ｙ」を出力する原因になる衝突が継続していると判定でき、検知信号「Ｙ」を出力する。
【０１１８】
衝突事象開始判定本体部４４１は、判定状態保持部４４０，判定結果延長部４３０，衝突事象中判定部４５からの信号が入力され、その衝突事象が開始したか否かの判定（衝突事象の開始の判定）を行う。すなわち、衝突事象開始判定本体部４４１は、車両Ｃが検知した斜め衝突の直前に、開始が判定される衝突とは異なる衝突の判定を行っていない場合に、新たな斜め衝突が開始したと判定する。
【０１１９】
衝突事象開始判定本体部４４１は、判定状態保持部４４０及び衝突事象中判定部４５からの信号が、反転した状態で入力される。具体的には、判定状態保持部４４０は、衝突直前の各センサ２１，２２のいずれかが衝突を判定しているときには、検知信号「Ｙ」を出力する。この検知信号「Ｙ」は、反転した状態で、衝突事象開始判定本体部４４１に入力される。
【０１２０】
衝突事象開始判定本体部４４１は、判定状態保持部４４０，判定結果延長部４３０，衝突事象中判定部４５から入力した信号が、全て検知信号「Ｙ」であるときに、その衝突事象が開始したと判定し、検知信号「Ｙ」を出力する。入力した信号のいずれか一つ以上が検知信号「Ｎ」であるとき（判定状態保持部４４０，衝突事象中判定部４５の出力が検知信号「Ｙ」，判定結果延長部４３０の出力が検知信号「Ｎ」のいずれか一つ以上の場合）には、その衝突事象は判定すべき斜め衝突ではないと判定し、検知信号「Ｎ」を出力する。
衝突事象開始判定部４４（衝突事象開始判定本体部４４１）からの出力信号は、衝突事象中判定部４５と、Ｂ−ピラー判定部４６と、に出力される。
【０１２１】
衝突事象中判定部４５は、車両Ｃが検知した衝突が継続しているか否かの判定を行う。衝突事象中判定部４５は、タイマ部４５０と、衝突事象中判定本体部４５１と、を備えている。
【０１２２】
タイマ部４５０は、衝突事象開始判定部４４（衝突事象開始判定本体部４４１）からの出力信号が入力され、当該出力信号を予め決められた時間だけ保持する。具体的には、タイマ部４５０は、衝突事象開始判定部４４（衝突事象開始判定本体部４４１）からの出力信号（検知信号「Ｙ」）が入力されると、予め決定されている時間の間、検知信号「Ｙ」を出力する。本形態では、タイマ部４５０で出力信号の結果を継続する「予め決定されている時間」は、請求項の「予め決定された第一の時間」に相当し、当該判定を行う斜め衝突が継続している時間である。
【０１２３】
衝突事象中判定本体部４５１は、タイマ部４５０の出力信号と、判定結果延長部４３の出力信号が入力され、当該衝突事象が継続している、あるいは継続していると判定すべき予め決められた時間が経過するまで、当該衝突事象が継続していると判定する。なお、本形態では、センサ２１及び２２のいずれもが検知信号「Ｎ」を出力するまでの時間が継続していると判定すべき予め決められた時間を上回る場合には、この時間が請求項の「予め決定された第一の時間」に相当することになる。衝突事象中判定本体部４５１は、タイマ部４５０の出力信号と、判定結果延長部４３０の出力信号が入力され、いずれかの出力信号が検知信号「Ｙ」である場合に、検知信号「Ｙ」を出力する。
【０１２４】
Ｂ−ピラー判定部４６は、センサ２２の判定状態と、衝突事象開始判定部４４（衝突事象開始判定本体部４４１）の判定結果と、から、プリテンショナ３の作動（起動）を禁止するか否かの判定を行う。Ｂ−ピラー判定部４６は、衝突事象開始判定部４４（衝突事象開始判定本体部４４１）の判定結果が検知信号「Ｙ」である状態で、センサ２２の判定結果が検知信号「Ｙ」である場合に、プリテンショナ３の作動（起動）を禁止する。また、衝突事象開始判定部４４（衝突事象開始判定本体部４４１）の判定結果が検知信号「Ｙ」である状態で、センサ２２の判定結果が検知信号「Ｎ」である場合に、プリテンショナ３の作動（起動）を許可する。
【０１２５】
本形態では、Ｂ−ピラー判定部４６は、プリテンショナ３の作動（起動）を禁止するか否かの判定を行うものであり、出力信号「Ｙ」は、プリテンショナ３の作動（起動）を禁止する信号に該当する。また、出力信号「Ｎ」は、プリテンショナ３の作動（起動）を許可する信号に該当する。
【０１２６】
Ｂ−ピラー判定部４６は、衝突事象について判定を行った場合、判定結果を予め決められた時間だけ保持する。本形態では、Ｂ−ピラー判定部４６で出力信号の結果を継続する「予め決められた時間」は、請求項の「予め決定された移動規制手段禁止時間」に相当し、少なくとも当該判定を行う斜め衝突が継続している時間とすることが好ましい。本形態では、Ｂ−ピラー判定部４６は、次の新たな衝突の判定時まで、その判定を保持する。
【０１２７】
本形態では、Ｂ−ピラー判定部４６は、Ｂ−ピラーに設けられたセンサ２２に関する判定を行うため、「Ｂ−ピラー」と称している。つまり、車両の「Ｂ−ピラー」以外の場所に設けられたセンサでの検知結果を利用する形態であってもよい。
【０１２８】
プリテンショナ作動禁止判定部４７は、衝突事象中判定部４５の判定結果と、Ｂ−ピラー判定部４６の判定結果と、から、プリテンショナ３の作動（起動）を禁止するか否かの判定を行う。
【０１２９】
具体的には、プリテンショナ作動禁止判定部４７は、衝突事象中判定部４５の判定結果と、Ｂ−ピラー判定部４６の判定結果と、が入力され、二つの判定結果がいずれも検知信号「Ｙ」である場合に、プリテンショナ３の作動（起動）が禁止される判定を行う。換言すると、二つの判定結果のいずれかの検知信号「Ｎ」である場合に、プリテンショナ３の作動（起動）の禁止が否定される判定を行う。
【０１３０】
プリテンショナ作動禁止判定部４７は、プリテンショナ３の作動（起動）を禁止するか否かの判定を行うものであり、出力信号「Ｙ」は、プリテンショナ３の作動（起動）を禁止する信号に該当する。また、出力信号「Ｎ」は、プリテンショナ３の作動（起動）を許可する信号に該当する。
【０１３１】
プリテンショナ起動指示部４８は、プリテンショナ３の作動（起動）を行うか否かの最終的な判定を行い、作動（起動）を行うと判定した場合に起動信号を出力する。プリテンショナ起動指示部４８は、初期判定部４８０と、最終判定部４８１と、を備えている。
【０１３２】
初期判定部４８０は、プリテンショナ作動禁止判定部４７の判定結果と、判定結果延長部４３を介して送信されたセンサ２１，２２の判定結果（判定結果延長部４３０を介した判定結果）と、から、プリテンショナ３を作動（起動）するか否かの判定を行う。
【０１３３】
初期判定部４８０は、プリテンショナ作動禁止判定部４７の判定結果が反転して入力される。初期判定部４８０は、入力されたプリテンショナ作動禁止判定部４７の判定結果と、判定結果延長部４３を介して送信されたセンサ２１，２２の判定結果（判定結果延長部４３０を介した判定結果）と、がいずれも検知信号「Ｙ」である場合に、プリテンショナ３の作動（起動）を許可する検知信号「Ｙ」を出力する。
【０１３４】
最終判定部４８１は、初期判定部４８０の判定結果と、判定結果延長部４３を介して送信されたセーフィングセンサ４９の判定結果と、が入力され、プリテンショナ３の作動（起動）を行うと判定した場合に起動信号を出力する。
【０１３５】
最終判定部４８１は、初期判定部４８０の判定結果と、判定結果延長部４３を介して送信されたセーフィングセンサ４９の判定結果と、が入力され、いずれも検知信号「Ｙ」である場合に、プリテンショナ３の作動（起動）を許可（開始）する起動信号をプリテンショナ３に送信する。
【０１３６】
（乗員保護システムの動作）
（斜め衝突）
本形態の乗員保護システムの動作について、第一実施形態のときと同様に、具体的に説明する。なお、特に言及しない動作等については、第一〜第二実施形態のときと同様である。本形態の乗員保護システムで斜め衝突の判定を行うときの各部の判定状態を図４と同様に図１０に示した。
まず、本衝突形態では、図４に示した衝突位置で、車両Ｃに斜め衝突が発生する。斜め衝突の衝撃は、車両Ｃを介して各センサ２１，２２，４９に伝わる。
【０１３７】
衝突が生じてセンサが検知する時間ｔ０までの間は、衝突を検知(判定)していない状態である。各センサ２１，２２，４９が斜め衝突を検知していないため、各センサ２１，２２，４９からの検出信号の積分値と判定しきい値とを比較しても、積分値が判定しきい値を超えないため、プリテンショナ３を起動しない。
【０１３８】
本形態では、時間ｔ０に至るまでの時間中、各センサ２１，２２の判定結果は、判定状態保持部４４０に送信され、判定状態保持部４４０は、受信した結果を保持する。判定状態保持部４４０は、各センサ２１，２２の判定結果として、全て検知信号「Ｎ」を保持する。
【０１３９】
車両Ｃに衝突が発生すると、その衝撃は、まず、車両Ｃを介してセンサ２１に、その後、センサ２２に、最後にセーフィングセンサ４９に伝わる。この衝撃の伝達時間は、衝突部位からの距離に比例するものであり、センサ２１にはただちに（時間ｔ０で）、センサ２２には時間ｔ０からわずかにおくれて（時間ｔ１で）、セーフィングセンサ４９には時間ｔ１からわずかにおくれて（時間ｔ２で）、でそれぞれ伝わる。
【０１４０】
（時間ｔ０）
時間ｔ０で衝突の衝撃が伝わると、センサ２１は、衝撃に起因する検出信号をＥＣＵ４に向けて発する。検出信号は、積分部４０ａに入力され、積分値が出力される。積分値は、衝突判定部４２ａに入力され、しきい値保持部４１ａに保持されている判定しきい値と、入力された積分値と、を比較して、積分値が判定しきい値を超えたら斜め衝突と判定して判定結果の検知信号「Ｙ」を出力する。
【０１４１】
本形態では、センサ２１とセンサ２２のうちいずれか一方のセンサ（判定結果延長部４３０）が判定結果の検知信号「Ｙ」を出力したら、その検知信号が衝突事象開始判定部４４に送信される。
【０１４２】
衝突事象開始判定部４４では、センサ２１とセンサ２２のうちいずれか一方のセンサ（判定結果延長部４３０）の判定結果と、判定状態保持部４４０の判定結果と、衝突事象中判定部４５の判定結果と、の３つの判定結果が、衝突事象開始判定本体部４４１に入力される。判定状態保持部４４０の判定結果と衝突事象中判定部４５の判定結果は、いずれも反転した検知信号として、衝突事象開始判定本体部４４１に入力される。
【０１４３】
センサ２１とセンサ２２のうちいずれか一方のセンサ（判定結果延長部４３０）の判定結果は、検知信号「Ｙ」である。判定状態保持部４４０の判定結果は、検知信号「Ｎ」である。衝突事象中判定部４５の判定結果は検知信号「Ｎ」である。そして、衝突事象開始判定本体部４４１に入力された状態での信号は、いずれも検知信号「Ｙ」であり、その斜め衝突が開始したと判定し、検知信号「Ｙ」を出力する。本形態の衝突事象開始判定部４４は、図１０に示したように、衝突事象の開始の判定を行うものであり、検知信号「Ｙ」を出力した後に、検知信号「Ｎ」を出力する。
衝突事象開始判定部４４の出力した検知信号「Ｙ」は、衝突事象中判定部４５と、Ｂ−ピラー判定部４６と、に送信される。
【０１４４】
衝突事象中判定部４５に入力した検知信号「Ｙ」はタイマ部４５０に入力され、タイマ部４５０は、予め決められた時間が経過するまで、検知信号「Ｙ」を出力する。タイマ部４５０が出力した検知信号「Ｙ」は、衝突事象中判定本体部４５１に入力される。
【０１４５】
衝突事象中判定本体部４５１は、タイマ部４５０からの検知信号と、センサ２１とセンサ２２のうちいずれか一方のセンサ（判定結果延長部４３０）の判定結果の検知信号「Ｙ」（衝突事象開始判定部４４に入力される検知信号「Ｙ」）と、が入力される。そして、いずれの出力信号も検知信号「Ｙ」であるため、検知信号「Ｙ」を出力する。衝突事象中判定部４５の検知信号「Ｙ」は、衝突事象開始判定部４４（衝突事象開始判定本体部４４１）とプリテンショナ作動禁止判定部４７とに向けて出力される。
【０１４６】
Ｂ−ピラー判定部４６は、センサ２２の判定結果の検知信号と、衝突事象開始判定部４４（衝突事象開始判定本体部４４１）の判定結果の検知信号「Ｙ」が入力する。時間ｔ０では、センサ２１に由来する検知信号は「Ｙ」であるが、センサ２２は衝突を検知していないため、検知信号「Ｎ」を出力する。すなわち、Ｂ−ピラー判定部４６は、センサ２２からの検知信号「Ｎ」と、衝突事象開始判定部４４からの検知信号「Ｙ」が入力する。Ｂ−ピラー判定部４６は、検知信号「Ｎ」を出力する。
【０１４７】
プリテンショナ作動禁止判定部４７は、衝突事象中判定部４５の判定結果の検知信号「Ｙ」と、Ｂ−ピラー判定部４６の判定結果の検知信号「Ｎ」と、が入力する。プリテンショナ作動禁止判定部４７は、Ｂ−ピラー判定部４６の判定結果の検知信号「Ｎ」が入力しており、プリテンショナ３の作動（起動）の禁止がされていないと判定して、検知信号「Ｎ」を出力する。プリテンショナ作動禁止判定部４７が出力した検知信号「Ｎ」は、プリテンショナ起動指示部４８に向けて出力される。
プリテンショナ作動禁止判定部４７が出力した検知信号「Ｎ」は、プリテンショナ起動指示部４８の初期判定部４８０に入力する。
【０１４８】
初期判定部４８０は、プリテンショナ作動禁止判定部４７が出力した検知信号「Ｎ」が検知信号「Ｙ」に反転した状態で入力する。初期判定部４８０は、プリテンショナ作動禁止判定部４７から入力した検知信号「Ｙ」と、センサ２１とセンサ２２のうちいずれか一方のセンサ（判定結果延長部４３０）の判定結果の検知信号「Ｙ」と、が入力する。そして、初期判定部４８０は、入力した二つの検知信号「Ｙ」から、プリテンショナ３の作動を許可する検知信号「Ｙ」を出力する。
【０１４９】
初期判定部４８０からの検知信号「Ｙ」は、最終判定部４８１に入力する。最終判定部４８１は、初期判定部４８０からの検知信号と、セーフィングセンサ４９での判定結果の検知信号と、が入力する。
【０１５０】
時間ｔ０においては、センサ２１のみが検知信号「Ｙ」を出力し、センサ２２及びセーフィングセンサ４９では検知信号は「Ｎ」を出力する。時間ｔ０において、最終判定部４８１には、初期判定部４８０からの検知信号「Ｙ」と、セーフィングセンサ４９での判定結果の検知信号「Ｎ」と、が入力する。
【０１５１】
本形態では、最終判定部４８１には、検知信号「Ｙ」と、検知信号「Ｎ」と、が入力しており、検知信号「Ｎ」を出力する。すなわち、時間ｔ０の段階では、プリテンショナ３の作動（起動）を許可しない。
【０１５２】
（時間ｔ１）
そして、時間ｔ０を過ぎて、時間ｔ１に到達する。
【０１５３】
時間ｔ０より後の時間ｔ１で衝突の衝撃が伝達すると、センサ２２は、衝撃に起因する検出信号をＥＣＵ４に向けて発する。検出信号は、積分部４０ｂに入力され、積分値が出力される。積分値は、衝突判定部４２ｂに入力され、しきい値保持部４１ｂに保持されている判定しきい値と、入力された積分値と、を比較して、積分値が判定しきい値を超えたら斜め衝突と判定して判定結果の検知信号「Ｙ」を出力する。
センサ２２の判定結果の検知信号「Ｙ」は、衝突事象開始判定部４４及びＢ−ピラー判定部４６に送信される。
【０１５４】
衝突事象開始判定部４４においては、センサ２１とセンサ２２のうちいずれか一方のセンサ（判定結果延長部４３０）の判定結果と、判定状態保持部４４０の判定結果と、衝突事象中判定部４５の判定結果と、の３つの判定結果が、衝突事象開始判定本体部４４１に入力される。
【０１５５】
センサ２１とセンサ２２のうちいずれか一方のセンサ（判定結果延長部４３０）の判定結果は、検知信号「Ｙ」である。判定状態保持部４４０の判定結果は、センサ２１が時間ｔ０での衝突を既に検知しており、検知信号「Ｙ」である。衝突事象中判定部４５の判定結果は検知信号「Ｙ」である。そして、衝突事象開始判定本体部４４１に入力された状態での検知信号は、一つの検知信号「Ｙ」と二つの検知信号「Ｎ」であり、検知信号「Ｎ」を出力する。
衝突事象開始判定部４４から出力した検知信号「Ｎ」は、衝突事象中判定部４５及びＢ−ピラー判定部４６に送信される。
【０１５６】
衝突事象中判定部４５は、時間ｔ０での衝突の予め決められた時間が経過する前に時間ｔ１に到達しており、衝突事象中であると判定し、検知信号「Ｙ」を出力する。
【０１５７】
Ｂ−ピラー判定部４６は、センサ２２の判定結果の検知信号「Ｙ」と、衝突事象開始判定部４４から出力した検知信号「Ｎ」と、が入力される。Ｂ−ピラー判定部４６は、先の時間ｔ０での衝突時に行った判定結果を保持しており、検知信号「Ｎ」を出力する。
【０１５８】
衝突事象中判定部４５の判定結果の検知信号「Ｎ」及びＢ−ピラー判定部４６の判定結果の検知信号「Ｎ」は、プリテンショナ作動禁止判定部４７に入力される。
プリテンショナ作動禁止判定部４７は、入力した二つの検知信号「Ｎ」から、判定結果として検知信号「Ｎ」を出力する。
プリテンショナ作動禁止判定部４７が出力した検知信号「Ｎ」は、プリテンショナ起動指示部４８に入力する。
【０１５９】
プリテンショナ起動指示部４８では、上記の時間ｔ０のときと同様に判定し、判定結果の検知信号「Ｎ」を出力する。すなわち、時間ｔ０の段階では、プリテンショナ３の作動（起動）を許可しない。
【０１６０】
（時間ｔ２）
そして、時間ｔ１を過ぎて、時間ｔ２に到達する。
【０１６１】
時間ｔ１より後の時間ｔ２で衝突の衝撃が伝わると、セーフィングセンサ４９は、衝撃に起因する検出信号をＥＣＵ４に向けて発する。検出信号は、積分部４０ｃに入力され、積分値が出力される。積分値は、衝突判定部４２ｃに入力され、しきい値保持部４１ｃに保持されている判定しきい値と、入力された積分値と、を比較して、積分値が判定しきい値を超えたら斜め衝突と判定して判定結果の検知信号「Ｙ」を出力する。
時間ｔ２において、上記の時間ｔ１のときと同様に判定され、プリテンショナ作動禁止判定部４７が検知信号「Ｎ」を出力する。
【０１６２】
プリテンショナ作動禁止判定部４７が出力した検知信号「Ｎ」は、プリテンショナ起動指示部４８の初期判定部４８０に入力され、上記の時間ｔ１のときと同様に判定され、初期判定部４８０が検知信号「Ｙ」を出力する。
【０１６３】
初期判定部４８０からの検知信号「Ｙ」は、最終判定部４８１に入力する。最終判定部４８１は、初期判定部４８０からの検知信号と、セーフィングセンサ４９での判定結果の検知信号と、が入力する。
【０１６４】
時間ｔ２においては、センサ２２及びセーフィングセンサ４９では検知信号は「Ｙ」を出力している。つまり、時間ｔ２において、最終判定部４８１には、初期判定部４８０からの検知信号「Ｙ」と、セーフィングセンサ４９での判定結果の検知信号「Ｙ」と、が入力する。この結果、最終判定部４８１（プリテンショナ起動指示部４８）は、プリテンショナ３の作動（起動）を許可する検知信号「Ｙ」を、プリテンショナ３に出力する。
検知信号「Ｙ」が入力したプリテンショナ３は、作動（起動）され、搭乗席ＳＦＬの乗員を拘束（移動を規制）して、乗員を保護する。
【０１６５】
本形態の乗員保護システムでは、センサ２１が斜め衝突と判定した後で、セーフィングセンサ４９が斜め衝突と判定した時間ｔ２においてプリテンショナ３を作動（起動）している。すなわち、異なる系の複数のセンサ２１，２２，４９の判定結果から、プリテンショナ３の作動（起動）を決定している。このため、より誤作動が生じなくなるという効果を発揮する。
【０１６６】
（後方での斜め衝突）
本形態の乗員保護システムの動作について、車両Ｃの後席左ドアＤＲＬの後方（左リアタイヤ近傍）に衝突した場合の動作を説明する。本衝突形態の乗員保護システムの各部の判定状態を図１０と同様に図１１に示した。
【０１６７】
時間ｔ０において車両Ｃに衝突が発生すると、その衝撃は、まず、車両Ｃを介してセンサ２２に、その後、センサ２１に、最後にセーフィングセンサ４９に伝わる。この衝撃の伝達時間は、衝突部位からの距離に比例するものであり、センサ２２にはただちに（時間ｔ０で）、センサ２１には時間ｔ０からわずかにおくれて（時間ｔ１で）、セーフィングセンサ４９には時間ｔ１からわずかにおくれて（時間ｔ２で）、それぞれ伝わる。
【０１６８】
（時間ｔ０）
時間ｔ０で衝突の衝撃が伝わると、センサ２２は、衝撃に起因する検出信号をＥＣＵ４に向けて発する。検出信号は、積分部４０ｂに入力され、積分値が出力される。積分値は、衝突判定部４２ｂに入力され、しきい値保持部４１ｂに保持されている判定しきい値と、入力された積分値と、を比較して、積分値が判定しきい値を超えたら斜め衝突と判定して判定結果「Ｙ」を出力する。
【０１６９】
本形態では、まず、時間ｔ０で衝突判定部４２ｂが判定結果「Ｙ」を出力する。この時間ｔ０では、衝突判定部４２ａでは衝突の判定が完了しておらず、判定結果「Ｙ」が出力されていない（判定結果「Ｎ」が出力される）。
【０１７０】
本形態では、センサ２１とセンサ２２のうちいずれか一方のセンサ（判定結果延長部４３０）が判定結果の検知信号「Ｙ」を出力したら、その検知信号が衝突事象開始判定部４４に送信される。
【０１７１】
衝突事象開始判定部４４では、センサ２１とセンサ２２のうちいずれか一方のセンサ（判定結果延長部４３０）の判定結果と、判定状態保持部４４０の判定結果と、衝突事象中判定部４５の判定結果と、の３つの判定結果が、衝突事象開始判定本体部４４１に入力される。判定状態保持部４４０の判定結果と衝突事象中判定部４５の判定結果は、いずれも反転した検知信号として、衝突事象開始判定本体部４４１に入力される。
【０１７２】
センサ２１とセンサ２２のうちいずれか一方のセンサ（判定結果延長部４３０）の判定結果は、検知信号「Ｙ」である。判定状態保持部４４０の判定結果は、検知信号「Ｎ」である。衝突事象中判定部４５の判定結果は検知信号「Ｎ」である。そして、衝突事象開始判定本体部４４１に入力された状態での信号は、いずれも検知信号「Ｙ」であり、その斜め衝突が開始したと判定し、検知信号「Ｙ」を出力する。
衝突事象開始判定部４４の出力した検知信号「Ｙ」は、衝突事象中判定部４５と、Ｂ−ピラー判定部４６と、に送信される。
【０１７３】
衝突事象中判定部４５に入力した検知信号「Ｙ」はタイマ部４５０に入力され、タイマ部４５０は、予め決められた時間が経過するまで、検知信号「Ｙ」を出力する。タイマ部４５０が出力した検知信号「Ｙ」は、衝突事象中判定本体部４５１に入力される。
【０１７４】
衝突事象中判定本体部４５１は、タイマ部４５０からの検知信号と、センサ２１とセンサ２２のうちいずれか一方のセンサ（判定結果延長部４３０）の判定結果の検知信号「Ｙ」（衝突事象開始判定部４４に入力される検知信号「Ｙ」）と、が入力される。そして、いずれかの出力信号が検知信号「Ｙ」であるため、検知信号「Ｙ」を出力する。衝突事象中判定部４５の検知信号「Ｙ」は、衝突事象開始判定部４４とプリテンショナ作動禁止判定部４７とに向けて出力される。
【０１７５】
Ｂ−ピラー判定部４６は、センサ２２の判定結果の検知信号と、衝突事象開始判定部４４（衝突事象開始判定本体部４４１）の判定結果の検知信号「Ｙ」が入力する。時間ｔ０では、センサ２２が衝突を検知しているため、検知信号「Ｙ」を出力する。すなわち、Ｂ−ピラー判定部４６は、センサ２２からの検知信号「Ｙ」と、衝突事象開始判定部４４からの検知信号「Ｙ」が入力する。Ｂ−ピラー判定部４６は、検知信号「Ｙ」を出力する。
【０１７６】
プリテンショナ作動禁止判定部４７は、衝突事象中判定部４５の判定結果の検知信号「Ｙ」と、Ｂ−ピラー判定部４６の判定結果の検知信号「Ｙ」と、が入力する。プリテンショナ作動禁止判定部４７は、Ｂ−ピラー判定部４６の判定結果の検知信号「Ｙ」が入力しており、プリテンショナ３の作動（起動）の禁止がされると判定して、検知信号「Ｙ」を出力する。プリテンショナ作動禁止判定部４７が出力した検知信号「Ｙ」は、プリテンショナ起動指示部４８に向けて出力される。
プリテンショナ作動禁止判定部４７が出力した検知信号「Ｙ」は、プリテンショナ起動指示部４８の初期判定部４８０に入力する。
【０１７７】
初期判定部４８０は、プリテンショナ作動禁止判定部４７が出力した検知信号「Ｙ」が検知信号「Ｎ」に反転した状態で入力する。初期判定部４８０は、プリテンショナ作動禁止判定部４７から入力した検知信号「Ｎ」と、センサ２１とセンサ２２のうちいずれか一方のセンサ（判定結果延長部４３０）の判定結果の検知信号「Ｙ」と、が入力する。そして、初期判定部４８０は、入力した二つの検知信号「Ｙ」と「Ｎ」から、プリテンショナ３の作動を禁止する検知信号「Ｎ」を出力する。
【０１７８】
初期判定部４８０からの検知信号「Ｎ」は、最終判定部４８１に入力する。最終判定部４８１は、初期判定部４８０からの検知信号と、セーフィングセンサ４９での判定結果の検知信号と、が入力する。
【０１７９】
時間ｔ０においては、センサ２２のみが検知信号「Ｙ」を出力し、センサ２１及びセーフィングセンサ４９では検知信号は「Ｎ」を出力する。時間ｔ０において、最終判定部４８１には、初期判定部４８０からの検知信号「Ｎ」と、セーフィングセンサ４９での判定結果の検知信号「Ｎ」と、が入力する。
【０１８０】
本形態では、最終判定部４８１には、二つの検知信号「Ｎ」が入力しており、検知信号「Ｎ」を出力する。すなわち、時間ｔ０の段階では、プリテンショナ３の作動（起動）を許可しない。
【０１８１】
（時間ｔ１）
そして、時間ｔ０を過ぎて、時間ｔ１に到達する。
時間ｔ０より後の時間ｔ１で衝突の衝撃が伝わると、センサ２１は、衝撃に起因する検出信号をＥＣＵ４に向けて発する。検出信号は、積分部４０ａに入力され、積分値が出力される。積分値は、衝突判定部４２ａに入力され、しきい値保持部４１ａに保持されている判定しきい値と、入力された積分値と、を比較して、積分値が判定しきい値を超えたら衝突と判定して判定結果の検知信号「Ｙ」を出力する。
センサ２２の判定結果の検知信号「Ｙ」は、衝突事象開始判定部４４及びＢ−ピラー判定部４６に送信される。
【０１８２】
衝突事象開始判定部４４においては、センサ２１とセンサ２２のうちいずれか一方のセンサ（判定結果延長部４３０）の判定結果と、判定状態保持部４４０の判定結果と、衝突事象中判定部４５の判定結果と、の３つの判定結果が、衝突事象開始判定本体部４４１に入力される。
【０１８３】
センサ２１とセンサ２２のうちいずれか一方のセンサ（判定結果延長部４３０）の判定結果は、検知信号「Ｙ」である。判定状態保持部４４０の判定結果は、センサ２２が時間ｔ０での衝突を既に検知しており、検知信号「Ｙ」である。衝突事象中判定部４５の判定結果は検知信号「Ｙ」である。そして、衝突事象開始判定本体部４４１に入力された状態での検知信号は、一つの検知信号「Ｙ」と二つの検知信号「Ｎ」であり、検知信号「Ｎ」を出力する。
衝突事象開始判定部４４から出力した検知信号「Ｎ」は、衝突事象中判定部４５及びＢ−ピラー判定部４６に送信される。
【０１８４】
衝突事象中判定部４５は、時間ｔ０での衝突の予め決められた時間が経過する前に時間ｔ１に到達しており、衝突事象中であると判定し、検知信号「Ｙ」を出力する。
【０１８５】
Ｂ−ピラー判定部４６は、センサ２２の判定結果の検知信号「Ｙ」と、衝突事象開始判定部４４から出力した検知信号「Ｎ」と、が入力される。Ｂ−ピラー判定部４６は、先の時間ｔ０での衝突時に行った判定結果を保持しており、検知信号「Ｙ」を出力する。
【０１８６】
衝突事象中判定部４５の判定結果の検知信号「Ｙ」及びＢ−ピラー判定部４６の判定結果の検知信号「Ｙ」は、プリテンショナ作動禁止判定部４７に入力される。
プリテンショナ作動禁止判定部４７は、入力した二つの検知信号「Ｙ」から、判定結果として検知信号「Ｙ」を出力する。
プリテンショナ作動禁止判定部４７が出力した検知信号「Ｙ」は、プリテンショナ起動指示部４８に入力する。
【０１８７】
プリテンショナ作動禁止判定部４７が出力した検知信号「Ｙ」は、プリテンショナ起動指示部４８の初期判定部４８０に入力する。初期判定部４８０は、プリテンショナ作動禁止判定部４７から出力した検知信号「Ｙ」が反転して入力されてなる検知信号「Ｎ」と、センサ２１とセンサ２２のうちいずれか一方のセンサ（判定結果延長部４３０）の判定結果の検知信号「Ｙ」と、が入力する。そして、初期判定部４８０は、入力した二つの検知信号「Ｙ」と「Ｎ」から、プリテンショナ３の作動（起動）を許可しない検知信号「Ｎ」を出力する。
【０１８８】
プリテンショナ起動指示部４８では、上記の時間ｔ０のときと同様に判定し、判定結果の検知信号「Ｎ」を出力する。すなわち、時間ｔ０の段階では、プリテンショナ３の作動（起動）を許可しない。
【０１８９】
（時間ｔ２）
そして、時間ｔ１を過ぎて、時間ｔ２に到達する。
時間ｔ１より後の時間ｔ２で衝突の衝撃が伝わると、セーフィングセンサ４９は、衝撃に起因する検出信号をＥＣＵ４に向けて発する。検出信号は、積分部４０ｃに入力され、積分値が出力される。積分値は、衝突判定部４２ｃに入力され、しきい値保持部４１ｃに保持されている判定しきい値と、入力された積分値と、を比較して、積分値が判定しきい値を超えたら衝突と判定して判定結果の検知信号「Ｙ」を出力する。
時間ｔ２において、上記の時間ｔ１のときと同様に判定され、プリテンショナ作動禁止判定部４７が検知信号「Ｙ」を出力する。
【０１９０】
プリテンショナ作動禁止判定部４７が出力した検知信号「Ｙ」は、プリテンショナ起動指示部４８の初期判定部４８０に入力される。そして、上記の時間ｔ１のときと同様に判定され、初期判定部４８０が検知信号「Ｎ」を出力する。
【０１９１】
初期判定部４８０からの検知信号「Ｎ」は、最終判定部４８１に入力する。最終判定部４８１は、初期判定部４８０からの検知信号と、セーフィングセンサ４９での判定結果の検知信号と、が入力する。
【０１９２】
時間ｔ２においては、センサ２２及びセーフィングセンサ４９では検知信号「Ｙ」を出力している。つまり、時間ｔ２において、最終判定部４８１には、初期判定部４８０からの検知信号「Ｎ」と、セーフィングセンサ４９での判定結果の検知信号「Ｙ」と、が入力する。この結果、最終判定部４８１（プリテンショナ起動指示部４８）は、プリテンショナ３の作動（起動）を許可しない検知信号「Ｎ」を、プリテンショナ３に出力する。
【０１９３】
上記のように、本形態の乗員保護システムでは、センサ２２よりも後方での衝突に対しては、プリテンショナ３の作動（起動）が許可されていないため、不要なプリテンショナ３の作動による不具合の発生が抑えられている。
【０１９４】
（センサの検知信号が一時的に低下する衝突）
本形態の乗員保護システムにおいて、センサでの判定が一旦オフになる衝突時の動作について、具体的に説明する。なお、特に言及しない動作等については、上記した衝突時と同様である。本衝突形態の乗員保護システムの各部の判定状態を図１０〜１１と同様に図１２に示した。
【０１９５】
本衝突は、図１０のときと同様な衝突位置で衝突が生じ、センサ２１での衝突の衝撃が、セーフィングセンサ４９で衝突の判定が行われるまでに一旦低下して、積分値が判定条件（判定しきい値）を下回る衝突である。
【０１９６】
本衝突形態での衝突は、時間ｔ０でセンサ２１が斜め衝突と判定し、時間ｔ１でセンサ２２が斜め衝突と判定し、時間ｔ２でセンサ２１が検知した斜め衝突の積分値が判定しきい値を下回り、時間ｔ３でセーフィングセンサ４９が斜め衝突と判定する衝突である。
【０１９７】
（時間ｔ１まで）
本衝突形態では、まず、衝突を生じて各センサ２１，２２が衝突の判定を行う。時間ｔ０〜ｔ１における衝突及びプリテンショナ３の作動（起動）の判定は、上記の斜め衝突時と同様に行われる。
【０１９８】
（時間ｔ２）
次に、時間ｔ１を過ぎて、時間ｔ２に到達する。
【０１９９】
時間ｔ２では、センサ２１での衝突の衝撃が、一旦低下して、積分値が判定条件（判定しきい値）を下回る。すなわち、センサ２１の判定結果が検知信号「Ｎ」となる。このとき、センサ２２の判定結果は、検知信号「Ｙ」の状態が継続される。
【０２００】
時間ｔ２となり、センサ２１の判定結果が検知信号「Ｎ」となっても、ＥＣＵ４の衝突事象中判定部４５が、時間ｔ０での衝突の予め決められた時間が経過する前に時間ｔ２に到達しており、衝突事象中であると判定し、検知信号「Ｙ」を出力している。
つまり、時間ｔ１時と同様に、衝突及びプリテンショナ３の作動（起動）の判定が行われる状態が維持される。
【０２０１】
（時間ｔ３）
次に、時間ｔ２を過ぎて、時間ｔ３に到達する。
時間ｔ３となり、セーフィングセンサ４９からの判定結果の検知信号「Ｙ」が出力される。
【０２０２】
時間ｔ３においても、上記の時間ｔ２のときと同様に衝突事象中判定部４５が判定を行うため、プリテンショナ作動禁止判定部４７が検知信号「Ｎ」を出力する。
【０２０３】
そして、プリテンショナ作動禁止判定部４７が出力した検知信号「Ｎ」は、プリテンショナ起動指示部４８の初期判定部４８０に入力され、上記の時間ｔ１のときと同様に判定され、初期判定部４８０が検知信号「Ｙ」を出力する。
【０２０４】
初期判定部４８０からの検知信号「Ｙ」は、最終判定部４８１に入力する。最終判定部４８１は、初期判定部４８０からの検知信号「Ｙ」と、セーフィングセンサ４９での判定結果の検知信号「Ｙ」と、が入力する。
【０２０５】
この結果、最終判定部４８１（プリテンショナ起動指示部４８）は、プリテンショナ３の作動（起動）を許可する検知信号「Ｙ」を、プリテンショナ３に出力する。
検知信号「Ｙ」が入力したプリテンショナ３は、作動（起動）され、搭乗席ＳＦＬの乗員を拘束（移動を規制）して、乗員を保護する。
【０２０６】
上記で説明したように、本形態の乗員保護システムは、本衝突形態のように、センサ２１の判定結果が一時的に検知信号「Ｎ」を示すような（図１２中のｔ２〜ｔ４の状態の）衝突においても、確実にプリテンショナ３を作動することができる。すなわち、誤作動（非作動）が抑えられた乗員保護システムとなっている。
【０２０７】
（センサの判定が長時間となる衝突）
本形態の乗員保護システムにおいて、上記の本実施形態の（後方での斜め衝突）においてセンサ２２での判定が長時間となる衝突時の動作について、具体的に説明する。なお、特に言及しない動作等については、上記した斜め衝突時と同様である。本衝突形態の乗員保護システムの各部の判定状態を図１０〜１２と同様に図１３に示した。
【０２０８】
本衝突は、図１１のときと同様な衝突位置で衝突が生じ、上記の本実施形態の（後方での斜め衝突）に、センサ２１での衝突の判定が、センサ２２での衝突の判定が検知信号「Ｎ」に切り替わった後まで継続して上回る衝突である。
【０２０９】
本衝突形態での斜め衝突は、衝突が生じた後に、時間ｔ０でセンサ２２が衝突と判定し、時間ｔ１でセンサ２１が衝突と判定し、時間ｔ２でセーフィングセンサ４９が衝突と判定し、時間ｔ３でセンサ２２が衝突と判定しなくなり、時間ｔ４で予め決められた衝突が継続していると判定する時間に達し、時間ｔ５でセンサ２１が衝突と判定しなくなる衝突である。
【０２１０】
（時間ｔ３まで）
本衝突形態では、まず、時間ｔ０〜ｔ３においては、上記の（後方での衝突）時と同様にして、衝突及びプリテンショナ３の作動（起動）の判定が行われる。
【０２１１】
（時間ｔ４）
そして、時間ｔ３が経過して時間ｔ４に到達しても、ＥＣＵ４の衝突事象中判定部４５は、予め決められた時間が経過する前に（衝突が継続していると判定している間に）時間ｔ４に到達しているため、衝突事象中判定部４５は、衝突事象中であると判定し、検知信号「Ｙ」を出力している。
【０２１２】
（時間ｔ５）
そして、時間ｔ４が経過して時間ｔ５に到達しても、ＥＣＵ４の衝突事象中判定部４５のタイマ部４５０が、予め決められた時間が経過する前に（衝突が収束せずに継続していると判定している間に）時間ｔ５に到達しているため、衝突事象中であると判定し、検知信号「Ｙ」を出力している。本形態では、衝突事象中判定部４５が保持している予め決められている時間として、二つのセンサ２１，２２で衝突の判定を行っている時間が用いられる。
つまり、本形態の乗員保護システムは、後方での衝突が生じても、プリテンショナ３の作動（起動）が禁止されている。
【０２１３】
上記で説明したように、本形態の乗員保護システムは、本衝突形態のように、センサ２１で衝突が非判定となる前に、センサ２２で衝突が非判定となっても、プリテンショナ３の作動が禁止されている。すなわち、誤作動（非作動）が抑えられた乗員保護システムとなっている。
【０２１４】
上記したように、本実施形態の乗員保護システムは、センサ２１において衝突と判定した衝突で、確実にプリテンショナ３を作動（起動）している。すなわち、プリテンショナ３の誤作動が生じなくなるという効果を発揮する。
この結果、乗員を確実に保護することができるという効果を発揮できる。
【０２１５】
［各実施形態の変形形態］
上記の各実施形態は、本発明の乗員保護システムを説明するために、前席左ＳＦＬの搭乗席の乗員に対する保護を具体的に説明したものであり、他の搭乗席ＳＦＲ，ＳＲＲ，ＳＲＬの保護に適用してもよい。
また、上記車両についても、進行方向で搭乗席が２列の車両に限定されるものではなく、３列以上の車両に適用してもよい。
【０２１６】
さらに、上記の各形態の乗員保護システムは、斜め衝突時に搭乗席に着席した搭乗者をプリテンショナ３で拘束する時の動作を説明するものであり、プリテンショナ３以外の保護デバイスを搭載していてもよい。車両Ｃに側方からの衝突が生じたときに乗員を保護するサイドエアバッグ及びカーテンエアバッグを搭載した場合のＥＣＵ１，４の構成を図１４及び図１５に示した。
【０２１７】
図１４は上記の第二実施形態にさらにサイドエアバッグ及びカーテンエアバッグを搭載した形態を、図１５は上記の第三実施形態にさらにサイドエアバッグ及びカーテンエアバッグを搭載した形態を、それぞれ示した。両変形形態とも図に示したように、車両ＣのＣ−ピラーに組み付けられたサテライトセンサ２３も利用する。
【０２１８】
サテライトセンサ２３からの検知信号は、センサ２１，２２と同様に、積分部（１０ｄ，４０ｄ），しきい値保持部（１１ｄ，４１ｄ），衝突判定部（１２ｄ，４２ｄ），判定結果延長部（１３ｄ，４３ｄ）を介して処理され、衝突の判定結果（衝突の判定結果）として出力される。ここで、しきい値保持部（１１ｄ，４１ｄ）のそれぞれには、衝突の判定に用いられる判定しきい値と同様な判定しきい値が保持されている。
そして、衝突が生じて、積分値が判定しきい値を超えると、衝突と判定して、サイドエアバッグ及びカーテンエアバッグを作動する。
本変形形態では、上記した斜め衝突だけでなく、側方からの衝突においても、乗員の保護を行うことができる効果を発揮する。
【０２１９】
さらに、本変形形態では、エアバッグの作動（起動）とプリテンショナ３の作動（起動）とを、同一のセンサ及びＥＣＵを用いることから、新たなセンサ等の追加無しに、乗員の保護を行うことができる効果を発揮する。
【符号の説明】
【０２２０】
Ｃ：車両
ＤＦＲ，ＤＦＬ，ＤＲＲ，ＤＲＬ：車両のドア
ＳＦＲ，ＳＦＬ，ＳＲＲ，ＳＲＬ：搭乗席
ＢＲ，ＢＬ：Ｂ−ピラー
１，４：ＥＣＵ
１０，１０ａ，１０ｂ，１０ｃ、４０，４０ａ，４０ｂ，４０ｃ：積分部
１１，１１ａ，１１ｂ，１１ｃ、４１，４１ａ，４１ｂ，４１ｃ：しきい値保持部
１２，１２ａ，１２ｂ，１２ｃ、４２，４２ａ，４２ｂ，４２ｃ：衝突判定部
１３，１３ａ，１３ｂ，１３ｃ、４３，４３ａ，４３ｂ，４３ｃ：判定結果延長部
１４：先行衝突判定部
１５：作動禁止判定部
１６，４８：プリテンショナ起動指示部
１７：プリテンショナ起動最終指示部
１９，４９：セーフィングセンサ
２１，２２，２３：サテライトセンサ
３：プリテンショナ
４４：衝突事象開始判定部
４５：衝突事象中判定部
４６：Ｂ−ピラー判定部
４７：プリテンショナ作動禁止判定部
【図１４】
2014118035.tif 000003
【図１５】
2014118035.tif 000004
【図１】
2014118035.tif 000005
【図２】
2014118035.tif 000006
【図３】
2014118035.tif 000007
【図４】
2014118035.tif 000008
【図５】
2014118035.tif 000009
【図６】
2014118035.tif 000010
【図７】
2014118035.tif 000011
【図８】
2014118035.tif 000012
【図９】
2014118035.tif 000013
【図１０】
2014118035.tif 000014
【図１１】
2014118035.tif 000015
【図１２】
2014118035.tif 000016
【図１３】
2014118035.tif 000017